(57)【要約】【課題】従来の一斉通報制御方法は、全ＰＨＳ端末を接続するまでに多くの時間を要してしまうという問題点があったが、本発明は、全ＰＨＳ端末を短時間で接続状態にして一斉通報できる一斉通報制御方法を提供する。【解決手段】各副制御装置２が配下の無線基地局３毎に一斉呼出を送信して各ＰＨＳ端末４との受付処理を行い、アイドル状態のＰＨＳ端末４に関する受付及び認証要求を入出力制御部１２に送信し、入出力制御部１２が副制御装置２に呼処理開始信号及び認証要求の送信を指示する電文を送信し、副制御装置２が、無線基地局３を介してＰＨＳ端末４に呼処理開始信号及び認証要求を送信し、入出力制御部１２がＰＨＳ端末４からの認証応答を受信したなら、接続要求信号を送信して、ＰＨＳ端末４を接続状態にし、一斉呼出から特定時間経過すると、統合制御装置１から通報電文を送信する一斉通報制御方法である。【選択図】　　　　図１
2004023448.tif 000002
【特許請求の範囲】
【請求項１】
携帯機と、前記携帯機との無線通信を行う無線基地局と、前記無線基地局を介して前記携帯機の通信制御を行う副制御装置と、前記副制御装置２と対になって有線接続される入出力制御部と主制御部とを具備し前記副制御装置間の交換制御を行う統合制御装置とを有する無線通信システムにおける一斉通報制御方法であって、
前記統合制御装置が、一斉通報の要求を受けると、前記主制御部が、一斉呼出を前記各入出力制御部に送信し、予め定めた特定時間のカウントを開始し、
前記各入出力制御部が、対になる副制御装置に一斉呼出を送信し、
前記各副制御装置が配下の無線基地局毎に一斉呼出を送信して各ＰＨＳ端末との受付処理を行い、アイドル状態のＰＨＳ端末に関する受付及び認証要求を前記入出力制御部に送信し、
前記副制御装置と前記入出力制御部との有線接続を時分割で切り替える時分割スイッチ接続を用いて、
前記入出力制御部が前記副制御装置に対して、呼処理開始信号及び認証要求の送信を指示する電文を送信し、
前記副制御装置が、無線基地局を介して前記ＰＨＳ端末に呼処理開始信号及び認証要求を送信し、音声モードで動作し、
前記入出力制御部が前記副制御装置を介して前記ＰＨＳ端末からの認証応答を受信したなら、接続要求信号を前記副制御装置を介して前記ＰＨＳ端末に送信して、前記ＰＨＳ端末を接続状態にし、
前記統合制御装置の前記主制御部で前記特定時間のカウントがタイムアップになったら、一斉に前記全てのＰＨＳ端末に向けて通報電文を送信する
ことを特徴とする一斉通報制御方法。
【発明の詳細な説明】
【０００１】
【発明の属する技術分野】
本発明は、ＰＨＳ方式の無線通信システムにおける一斉通報制御方法に係り、特に接続時間を短縮できる一斉通報制御方法に関する。
【０００２】
【従来の技術】
まず、一般的なＰＨＳ方式の無線通信システムの機器構成について図２を使って説明する。図２は、一般的なＰＨＳ方式の無線通信システムの機器構成を示すブロック図である。
一般的なＰＨＳ方式の無線通信システムは、図２に示すように、移動端末であるＰＨＳ端末４と、複数のＰＨＳ端末４との無線通信を行う無線基地局（図では、Ｂａｓｅ　Ｓｔａｔｉｏｎ：ＢＳ）３と、複数の無線基地局３との通信を介して各ＰＨＳ端末４間の通信制御を行う副制御装置（図では、Ｓｕｂ　Ｃｏｎｔｒｏｌ　Ｓｔａｔｉｏｎ：ＳＣＳ）２と、無線通信システム全体を制御し、特に複数の副制御装置２及びその配下の複数の無線基地局３との通信を介して各ＰＨＳ端末４間の通信制御を行う統合制御装置（図では、Ｃｏｎｔｒｏｌ　Ｓｔａｔｉｏｎ：ＣＰ）１と、副制御装置２に接続されているコンソール卓（図では、Ｂａｓｅ　Ｃｏｎｓｏｌｅ：ＢＣ）５と、ＰＢＸ６と、ＰＢＸ内線電話機７と、内線電話機８とから構成されている。
【０００３】
そして、統合制御装置１の内部には、統合制御装置１全体の制御及び通話路交換接続制御等を行う主制御部（図では、Ｍａｉｎ　Ｃｏｎｔｒｏｌ　Ｐｒｏｃｅｓｓｏｒ：ＭＣＰ）１１と、無線基地局３への入出力制御によりＰＨＳ端末４との通信制御を行うＰＳ制御タスクであるところの複数の入出力制御部（図では、Ｃｏｍｍｕｎｉｃａｔｉｏｎ　Ｃｏｎｔｒｏｌ　Ｐｒｏｃｅｓｓｏｒ：ＣＣＰ）１２とを具備している。
また、副制御装置２の内部には、無線基地局３との接続インタフェースであるところのＢＳインタフェース（図では、ＢＳＩＦ）２１を具備している。
【０００４】
図２に示した無線通信システムにおける一斉通報機能の接続シーケンスについて、図３を使って説明する。図３は、従来の一斉通報制御方法を示すシーケンス図である。
一斉通報機能とは、内線電話機８又はＰＢＸ内線電話機７から一斉通報発信を指示する為の特番がダイヤルされた場合、又はコンソール卓５で一斉通報を指示する為のボタン（一斉通報ボタン）が押下された場合などに、全ＰＨＳ端末４及び内線電話機８に対して同時に同一の情報を送信する機能であり、例えば、災害発生時や緊急連絡などの際に使用される機能である。
【０００５】
従来の一斉通報制御方法による一斉通報のシーケンスは、図３に示すように、例えばコンソール卓（図ではＢＣ）５からの一斉通報ボタン押下による信号（一斉通報要求）が統合制御装置１の主制御部（ＭＣＰ）１１で認識されると、受付処理として、主制御部（ＭＣＰ）１１から一斉呼出の指示電文が各入出力制御部（ＣＣＰ）１２に送信され、各入出力制御部１２から一斉呼出の指示電文が配下の無線基地局３毎に副制御装置（ＳＣＳ）２を介して無線基地局（ＢＳ）３に送信されて、無線基地局３から各ＰＨＳ端末４に無線送信される。
【０００６】
そして、一斉呼出の指示電文を受信したＰＨＳ端末４では、鳴動が発せられ、返信電文が無線送信され、無線基地局３、副制御装置２、入出力制御部１２を介して主制御部１１に送信され、主制御部１１が返信電文を受け付けて受付処理が完了する。
そして、主制御部１１では次のステップである接続処理として、受付電文と認証要求が入出力制御部１２に送信され、入出力制御部１２では、これを受けて、呼処理開始信号であるＣＡＬＬＰＲＯＣ（ＣＡＬＬＰＲＯＣｅｅｄｉｎｇ）を副制御装置２に送信してから、認証要求を送信し、更に音声・データ識別信号で音声を指定する信号を送信し、副制御装置２が音声モードに設定される。
そして、副制御装置２及び無線基地局３では、入出力制御部１２からのＣＡＬＬＰＲＯＣ及び認証要求をそのまま送信し、ＰＨＳ端末４に無線送信される。
【０００７】
ＰＨＳ端末４では、受信した認証要求に対して、認証応答を返信し、無線基地局３、副制御装置２、入出力制御部１２を介して主制御部１１が認証応答を受け取り、認証確認が完了し、１つのＰＨＳ端末４に対する接続処理が完了したと認識する。
【０００８】
そして、以降は、統合制御装置１と副制御装置２とを接続するハイウェイを時分割制御する時分割スイッチ（Ｔｉｍｅ　ＳＷｉｔｃｈ：ＴＳＷ）接続制御を用いて、認証確認が完了したＰＨＳ端末４に対して呼出中であることを知らせるＡＬＥＲＴ（ＡＬＥＲＴｉｎｇ）信号と接続要求であるＣＯＮＮＥＣＴ信号を入出力制御部１２に送信し、副制御装置２、無線基地局３を介してＰＨＳ端末４に送信してから、通話中状態となったＰＨＳ端末４に対して一斉通報の電文（例えば、ＢＣ音声）が主制御部１１から送信され、ＰＨＳ端末４で一斉通報の音声が聴取できるようになっている。
【０００９】
尚、一斉通報に関する従来技術としては、平成９年９月１９日公開の特開平９−２４７０８２号「一斉通報システム」（出願人：日本無線株式会社、発明者：関谷　亨）がある。
この従来技術は、親局から１〜ｎの移動局に一斉通報を行う際、親局は予め定められた特定番号を送出し、基地局が特定番号を受け取ると、１〜ｎのスロットを用いて１〜ｎの移動局に特定番号及び１〜ｎのスロットの何れか１つである共通使用スロット情報を含むメッセージを送出し、移動局ではメッセージに含まれる特定番号から一斉通報であることを認識して、共通使用スロット情報で指定された共通使用スロットを用いて着信動作を行う一斉通報システムであり、これにより、複数の移動局に対して同時にメッセージを送信できるものである。
【００１０】
【発明が解決しようとする課題】
しかしながら、従来の一斉通報制御方法では、１つのＰＨＳ端末４を通話状態にもっていくために、主制御部１１とＰＨＳ端末４との間で図３に示したデータのやり取りが必要であり、複数のＰＨＳ端末４に対して通報する場合にはその数だけやり取りが行われるので、全ＰＨＳ端末４を接続するまでに多くの時間を要してしまうという問題点があった。
【００１１】
本発明は上記実情に鑑みて為されたもので、全ＰＨＳ端末を短時間で接続状態にして一斉通報できる一斉通報制御方法を提供することを目的とする。
【００１２】
【課題を解決するための手段】
上記従来例の問題点を解決するための本発明は、携帯機と、携帯機との無線通信を行う無線基地局と、無線基地局を介して携帯機の通信制御を行う副制御装置と、副制御装置２と対になって有線接続される入出力制御部と主制御部とを具備し副制御装置間の交換制御を行う統合制御装置とを有する無線通信システムにおける一斉通報制御方法であって、
統合制御装置が、一斉通報の要求を受けると、主制御部が、一斉呼出を各入出力制御部に送信し、予め定めた特定時間のカウントを開始し、
各入出力制御部が、対になる副制御装置に一斉呼出を送信し、
各副制御装置が配下の無線基地局毎に一斉呼出を送信して各ＰＨＳ端末との受付処理を行い、アイドル状態のＰＨＳ端末に関する受付及び認証要求を入出力制御部に送信し、
副制御装置と入出力制御部との有線接続を時分割で切り替える時分割スイッチ接続を用いて、
入出力制御部が副制御装置に対して、呼処理開始信号及び認証要求の送信を指示する電文を送信し、
副制御装置が、無線基地局を介してＰＨＳ端末に呼処理開始信号及び認証要求を送信し、音声モードで動作し、
入出力制御部が副制御装置を介してＰＨＳ端末からの認証応答を受信したなら、接続要求信号を副制御装置を介してＰＨＳ端末に送信して、ＰＨＳ端末を接続状態にし、
統合制御装置の主制御部で特定時間のカウントがタイムアップになったら、一斉に全てのＰＨＳ端末に向けて通報電文を送信するものなので、
全ＰＨＳ端末を短時間で接続状態にして一斉通報できる。
【００１３】
【発明の実施の形態】
本発明の実施の形態について図面を参照しながら説明する。
本発明に係る一斉通報制御方法は、統合制御装置が、一斉通報の要求を受けると、主制御部が、一斉呼出を各入出力制御部に送信し、予め定めた特定時間のカウントを開始し、各入出力制御部が、対になる副制御装置に一斉呼出を送信し、各副制御装置が配下の無線基地局毎に一斉呼出を送信して各ＰＨＳ端末との受付処理を行い、アイドル状態のＰＨＳ端末に関する受付及び認証要求を入出力制御部に送信し、副制御装置と入出力制御部との有線接続を時分割で切り替える時分割スイッチ接続を用いて、入出力制御部が副制御装置に対して、呼処理開始信号及び認証要求の送信を指示する電文を送信し、副制御装置が、無線基地局を介してＰＨＳ端末に呼処理開始信号及び認証要求を送信し、音声モードで動作し、入出力制御部が副制御装置を介してＰＨＳ端末からの認証応答を受信したなら、接続要求信号を副制御装置を介してＰＨＳ端末に送信して、ＰＨＳ端末を接続状態にして、統合制御装置の主制御部で特定時間のカウントがタイムアップになったら、一斉に全てのＰＨＳ端末に向けて通報電文を送信するものなので、全ＰＨＳ端末を短時間で接続状態にして一斉通報できるものである。
【００１４】
本発明の実施の形態に係る一斉通報制御方法を実現する無線通信システム（本システム）の機器構成は、図２に示した従来の無線通信システムの機器構成と全く同様であり、携帯機であるＰＨＳ端末４と、複数のＰＨＳ端末４との無線通信を行う無線基地局（ＢＳ）３と、複数の無線基地局３との通信を介して各ＰＨＳ端末４間の通信制御を行う副制御装置（ＳＣＳ）２と、無線通信システム全体を制御し、特に複数の副制御装置２及びその配下の複数の無線基地局３との通信を介して各ＰＨＳ端末４間の通信制御を行う統合制御装置（ＣＰ）１と、副制御装置２に接続されているコンソール卓（ＢＣ）５と、ＰＢＸ６と、ＰＢＸ内線電話機７と、内線電話機８とから構成されている。
【００１５】
そして、統合制御装置１の内部には、統合制御装置１全体の制御及び通話路交換接続制御等を行う主制御部（ＭＣＰ）１１と、無線基地局３への入出力制御によりＰＨＳ端末４との通信制御を行うＰＳ制御タスクであるところの複数の入出力制御部（ＣＣＰ）１２とを具備し、副制御装置２の内部には、無線基地局３との接続インタフェースであるところの複数のＢＳインタフェース（ＢＳＩＦ）２１を具備している。
【００１６】
そして、統合制御装置１内の各入出力制御部１２と副制御装置２とが対になるように有線接続されている。
また、副制御装置２内の各ＢＳインタフェース２１と無線基地局３とが有線接続されている。
【００１７】
尚、本発明の一斉通報制御方法を実現するために、一斉通報時の本システムの各部の制御動作が従来のそれとは異なっている。
【００１８】
次に、本発明の一斉通報制御方法を実現する無線通信システムにおける一斉通報機能の接続シーケンスについて、図３に示した従来のシーケンスと比較しながら、図１を使って説明する。図１は、本発明の一斉通報制御方法を示すシーケンス図である。
本発明の一斉通報制御方法による一斉通報のシーケンスは、図１に示すように、例えばコンソール卓（図ではＢＣ）５からの一斉通報ボタン押下による信号（一斉通報要求）が統合制御装置１の主制御部（ＭＣＰ）１１で認識されると、主制御部（ＭＣＰ）１１から一斉呼出の指示電文が各入出力制御部（ＣＣＰ）１２に送信される。ここまでは、従来と同様である。
【００１９】
そして、この時、本発明の特徴部分として、主制御部（ＭＣＰ）１１において特定時間をカウントするタイマーを起動する。図１では、特定時間を例えば１５秒としている。
【００２０】
そして、受付処理として、従来は入出力制御部１２によって一斉呼出の指示電文が無線基地局３毎に作成されて送信されていたのに対して、本発明では、入出力制御部１２から対になる副制御装置（ＳＣＳ）２には一斉呼出の指示電文が１つだけ送信され、副制御装置（ＳＣＳ）２内のＢＳインタフェース２１によって配下の無線基地局（ＢＳ）３毎に電文が作成されて送信され、無線基地局３を介して各ＰＨＳ端末４に無線送信されるようになっている。
【００２１】
これにより、入出力制御部１２から副制御装置２に送信される一斉呼出の指示電文の数が軽減され、また入出力制御部１２の負荷も軽減されることになる。
【００２２】
そして、一斉呼出の指示電文を受信したＰＨＳ端末４では、鳴動が発せられ、返信電文が無線送信され、無線基地局３を介して副制御装置２で受信されて受付処理が完了し、従来は主制御部１１から入出力制御部１２に受付電文と認証要求を送信したのに対して、本発明では、返信電文を受信した副制御装置２から入出力制御部１２に受付電文と認証要求が送信される。
【００２３】
これにより、ＰＨＳ端末４からの返信電文は、副制御装置２までしか送信されないため、従来、返信電文が副制御装置２から入出力制御部１２を介して主制御部１１まで送信されていた分だけ、やり取りされる電文の数が軽減され、また、入出力制御部１２における伝送負荷、及び主制御部１１における受付電文と認証要求の送信負荷が軽減されることになる。
【００２４】
そして、受付電文と認証要求を受信した入出力制御部１２では、従来はＣＡＬＬＰＲＯＣと認証要求と音声・データ識別信号を副制御装置２に送信していたのに対し、本発明では入出力制御部１２から副制御装置２にＣＡＬＬＰＲＯＣと認証要求送信を指示する専用の電文を送信し、副制御装置２のＢＳインタフェース２１が無線基地局３に対して、呼処理開始信号であるＣＡＬＬＰＲＯＣと認証要求を送信し、無線基地局３では、副制御装置２からのＣＡＬＬＰＲＯＣ及び認証要求をそのまま送信し、ＰＨＳ端末４に無線送信されるようになっている。
また、この時、副制御装置２では、一斉通報であるという認識の元で音声モード固定に設定される。
【００２５】
これにより、入出力制御部１２から副制御装置２にはＣＡＬＬＰＲＯＣと認証要求送信を指示する専用の電文だけしか送信されないため、従来、ＣＡＬＬＰＲＯＣと認証要求が入出力制御部１２から副制御装置２に送信されていた分だけ、やり取りされる電文の数が軽減され、また入出力制御部１２におけるＣＡＬＬＰＲＯＣと認証要求と音声・データ識別信号の送信負荷が軽減されることになる。
【００２６】
ＰＨＳ端末４では、受信した認証要求に対して、認証応答を返信し、無線基地局３、副制御装置２を介して、入出力制御部１２が認証応答を受け取って認証確認を完了し、従来は主制御部１１から入出力制御部１２に接続要求であるＣＯＮＮＥＣＴ信号を送信したのに対して、本発明では、認証応答を受信した入出力制御部１２から副制御装置２にＣＯＮＮＥＣＴ信号だけが送信され、無線基地局３を介してＰＨＳ端末４に送信されてＰＨＳ端末４が通話中状態になる。
【００２７】
これにより、ＰＨＳ端末４からの認証応答電文は、入出力制御部１２までしか送信されないため、従来、認証応答電文が入出力制御部１２から主制御部１１まで送信されていた分だけ、やり取りされる電文の数が軽減され、また、本発明ではＡＬＥＲＴ信号の送信は行わず、ＣＯＮＮＥＣＴ信号のみが入出力制御部１２から発信されるため、従来、呼出中であることを知らせるＡＬＥＲＴ信号と接続要求のＣＯＮＮＥＣＴ信号が主制御部１１から送信されていた分だけ、やり取りされる電文の数が軽減される。
また、入出力制御部１２における伝送負荷、及び主制御部１１におけるＡＬＥＲＴ信号とＣＯＮＮＥＣＴ信号の送信負荷が軽減されることになる。
【００２８】
そして、統合制御装置１の主制御部１１では、一斉呼出の指示電文を入出力制御部（ＣＣＰ）１２に送信してから一定時間（例えば１５秒）をカウントしていたタイマが、タイムアップになると、統合制御装置１と副制御装置２とを接続するハイウェイを時分割制御する時分割スイッチ（Ｔｉｍｅ　ＳＷｉｃｈｉ：ＴＳＷ）接続制御を用いて、通話中状態となっている全てのＰＨＳ端末４に向けて、一斉通報の電文（例えば、ＢＣ音声）を送信するようになっている。
【００２９】
上記制御により、ＰＨＳ端末４では通話中状態になってから、しばらくの間無音状態になり、一斉通報の電文を受信して、一斉通報の音声が聴取できるようになる。
【００３０】
本発明の実施の形態の一斉通報制御方法によれば、個々のＰＨＳ端末４との接続処理を統合制御装置１の入出力制御部（ＣＣＰ）１２との間で行い、更に、ＰＨＳ端末４への送信電文は、入出力制御部（ＣＣＰ）１２からの指示によって、ＢＳインタフェース（ＢＳＩＦ）２１から送信電文が送信されるので、複数のＰＨＳ端末４に対して一斉に接続処理を行うことができるので、従来主制御部（ＭＣＰ）１１を介在して接続していたときに比べて、短時間で複数のＰＨＳ端末４を接続できる効果がある。
【００３１】
また、統合制御装置１の主制御部（ＭＣＰ）１１では、ほぼ全ＰＨＳ端末４が接続されるであろう時間をタイマでカウントし、登録されているＰＨＳ端末４に対しては、全て無条件にＴＳＷ接続処理を行い、一斉電文を送信するので、全ＰＨＳ端末に対して短時間で通報電文を送信できる効果がある。
【００３２】
本発明の実施の形態の一斉通報制御方法によれば、従来は一斉呼出電文を（ページング着信）を入出力制御部１２から各無線基地局３へ送信するように、無線基地局３の台数分だけ送信していたのを、本発明では、入出力制御部１２から副制御装置２へ１つの一斉呼出電文のみ送信し、副制御装置２のＢＳインタフェース２１で各無線基地局３へ送信するように制御したので、入出力制御部１２から副制御装置２に送信される一斉呼出（通報）の指示電文の数が軽減され、また入出力制御部１２の負荷も軽減できる効果がある。
【００３３】
本発明の実施の形態の一斉通報制御方法によれば、ＰＨＳ端末４から一斉呼出の指示電文に対する返信電文が無線送信されると、従来は主制御部１１まで転送されて、受付処理が完了したが、本発明では、返信電文は副制御装置２までしか転送されず、返信電文を受信した副制御装置２から入出力制御部１２に受付電文と認証要求が送信されるので、やり取りされる電文の数が軽減され、主制御部１１における受付電文と認証要求の送信負荷を軽減できる効果がある。
【００３４】
本発明の実施の形態の一斉通報制御方法によれば、従来は入出力制御部１２から副制御装置２にＣＡＬＬＰＲＯＣとそれに続いて認証要求を、更にそれに続いて音声／データ識別（音声）を送信していたのを、本願では、入出力制御部１２から副制御装置２にＣＡＬＬＰＲＯＣと認証要求送信を指示する専用の電文だけしか送信せず、副制御装置２のＢＳインタフェース２１でＣＡＬＬＰＲＯＣと認証要求の２電文を生成し無線基地局３へ送信するので、やり取りされる電文の数が軽減され、入出力制御部１２におけるＣＡＬＬＰＲＯＣと認証要求と音声・データ識別信号の送信負荷が軽減され、全ＰＨＳ端末を短時間で接続状態にすることができる効果がある。
【００３５】
本発明の実施の形態の一斉通報制御方法によれば、従来は入出力制御部１２から副制御装置２に音声／データ識別信号で音声に切り替える指示を送信し、副制御装置２が音声モードに切り替わっていたが、本願では、一斉通報であるという認識の元で音声モード固定に設定されるので、音声／データ識別信号の送信負荷を軽減できる効果がある。
【００３６】
本発明の実施の形態の一斉通報制御方法によれば、入出力制御部１２で認証応答を受信したときに、従来のようにＡＬＥＲＴを返さず、ＣＯＮＮＥＣＴだけを副制御装置２に送信するので、やり取りされる電文の数（データ量）を軽減できる効果がある。
【００３７】
本発明の実施の形態の一斉通報制御方法によれば、通常の通話のための接続制御と異なり、全てに統合制御装置１の主制御部１１が介在する必要性がないので、下位の入出力制御部１２や副制御装置２（ＢＳインタフェース２１）に役割を分担させたので、やり取りされる電文の数（データ量）を軽減でき、また上位の構成の処理負荷を軽減でき、システム全体としての処理能力を向上し、短時間で、一斉通報機能の実現ができる効果がある。
【００３８】
【発明の効果】
本発明によれば、統合制御装置が、一斉通報の要求を受けると、主制御部が、一斉呼出を各入出力制御部に送信し、予め定めた特定時間のカウントを開始し、各入出力制御部が、対になる副制御装置に一斉呼出を送信し、各副制御装置が配下の無線基地局毎に一斉呼出を送信して各ＰＨＳ端末との受付処理を行い、アイドル状態のＰＨＳ端末に関する受付及び認証要求を入出力制御部に送信し、副制御装置と入出力制御部との有線接続を時分割で切り替える時分割スイッチ接続を用いて、入出力制御部が副制御装置に対して、呼処理開始信号及び認証要求の送信を指示する電文を送信し、副制御装置が、無線基地局を介してＰＨＳ端末に呼処理開始信号及び認証要求を送信し、音声モードで動作し、入出力制御部が副制御装置を介してＰＨＳ端末からの認証応答を受信したなら、接続要求信号を副制御装置を介してＰＨＳ端末に送信して、ＰＨＳ端末を接続状態にして、統合制御装置の主制御部で特定時間のカウントがタイムアップになったら、一斉に全てのＰＨＳ端末に向けて通報電文を送信する無線通信システムにおける一斉通報制御方法としているので、全ＰＨＳ端末を短時間で接続状態にして一斉通報でき、一斉通報機能を有する無線通信システムとしての効率及び信頼性を向上できる効果がある。
【図面の簡単な説明】
【図１】本発明の一斉通報制御方法を示すシーケンス図である。
【図２】一般的なＰＨＳ方式の無線通信システムの機器構成を示すブロック図である。
【図３】従来の一斉通報制御方法を示すシーケンス図である。
【符号の説明】
１…統合制御装置（ＣＳ）、　２…副制御装置（ＳＣＳ）、　３…無線基地局（ＢＳ）、　４…ＰＨＳ端末、　５…コンソール卓（ＢＣ）、　６…ＰＢＸ、　７…ＰＢＸ内線電話機、　８…内線電話機、　１１…主制御部（ＭＣＰ）、　１２…入出力制御部（ＣＣＰ）、　２１…ＢＳインタフェース（ＢＳＩＦ）
【図１】
2004023448.tif 000003
【図２】
2004023448.tif 000004
【図３】
2004023448.tif 000005